(57)【要約】      （修正有）【課題】文字、模様、色彩又はこれらの結合が表示された表示体をクリート溝に容易に着脱させることができるエスカレータを提供する。【解決手段】複数個の踏段２を無端状に連結させて循環走行させるエスカレータ１において、前記踏段２の踏板５又はライザ６の表面には、踏段２の進行方向に沿って伸びるクリート溝７が複数平行に並べられており、前記クリート溝７は、底面及び対向する側面を備え、前記対向する側面には、底面１０近傍に嵌合溝が設けられ、前記嵌合溝に薄板状の表示体１５を嵌め込んで、表示体１５をクリート溝７に着脱させることができ、装着された複数の表示体１５が一体となって踏板５又はライザ６に、文字、模様、色彩又はこれらの結合を表示させることができる。【選択図】図１
2008179441.tif 000002
【特許請求の範囲】
【請求項１】
複数個の踏段を無端状に連結させて循環走行させるエスカレータにおいて、
前記踏段は、人や荷物が積載される踏板と蹴上げ部分となるライザとを備え、
踏板又はライザの表面には、踏段の進行方向に沿って伸びるクリート溝が複数平行に並べられており、
前記クリート溝は、底面及び対向する側面を備え、
前記対向するクリート溝の側面には、底面近傍に対向する嵌合溝が設けられ、
前記対向する嵌合溝に薄板状の表示体を嵌め込んで、前記表示体を嵌合溝に沿って移動させることにより、表示体をクリート溝に着脱させることができ、
装着された複数の表示体が一体となって踏板又はライザに、文字、模様、色彩又はこれらの結合を表示させることができることを特徴とするエスカレータ。
【請求項２】
複数個の踏段を無端状に連結させて循環走行させるエスカレータにおいて、
前記踏段は、人や荷物が積載される踏板と蹴上げ部分となるライザとを備え、
踏板又はライザの表面には、踏段の進行方向に沿って伸びるクリート溝が複数平行に並べられており、
前記クリート溝は、底面及び対向する側面を備え、
前記対向する側面の底面近傍には、進行方向に沿って複数の膨出部が設けられており、
前記膨出部とクリート溝の底面との間に薄板状の表示体を嵌め込むことにより、表示体をクリート溝に着脱させることができ、
装着された複数の表示体が一体となって踏板又はライザに、文字、模様、色彩又はこれらの結合を表示させることが可能であることを特徴とするエスカレータ。
【請求項３】
複数個の踏段を無端状に連結させて循環走行させるエスカレータにおいて、
前記踏段は、人や荷物が積載される踏板と蹴上げ部分となるライザとを備え、
踏板又はライザの表面には、踏段の進行方向に沿って伸びるクリート溝が複数平行に並べられており、
前記クリート溝には、薄板状の表示体が装着可能であり、
クリート溝は、底面及び対向する側面を備え、前記対向する側面の底面近傍には、進行方向に沿って複数の嵌合穴が設けられており、
前記表示体は、一定の弾力を有し、長手側端部に前記嵌合穴に対応する複数の係止片が設けられており、
クリート溝の嵌合穴に、表示体の係止片が嵌め込まれることにより、表示体をクリート溝に着脱させることができ、
装着された複数の表示体が一体となって踏板又はライザに、文字、模様、色彩又はこれらの結合を表示させることができることを特徴とするエスカレータ。
【請求項４】
複数個の踏段を無端状に連結させて循環走行させるエスカレータにおいて、
前記踏段は、人や荷物が積載される踏板と蹴上げ部分となるライザとを備え、
踏板又はライザの表面には、踏段の進行方向に沿って伸びるクリート溝が複数平行に並べられており、
前記クリート溝は、底面及び対向する側面を備え、
前記底面には、係止突起があり、
前記係止突起に薄板状の表示体を貫通させて係止させることにより、表示体をクリート溝に着脱させることができ、
装着された複数の表示体が一体となって踏板又はライザに、文字、模様、色彩又はこれらの結合を表示させることができることを特徴とするエスカレータ。
【発明の詳細な説明】
【技術分野】
【０００１】
本発明は、文字、模様、色彩又はこれらの結合を表示する表示体を踏段に備えたエスカレータに関するものである。
【背景技術】
【０００２】
従来から駅や商業施設などの様々な場所で、人や荷物を昇降させるための装置としてエスカレータが用いられている。
例えば、特許文献１には、エスカレータを構成する踏段の水平部（踏板）、又は垂直部（ライザ）の少なくともどちらか一方の櫛目状溝部（クリート溝）底部に、細分化されたステッカーを貼着したり、マスキング塗装等の塗装や印刷をすることにより、文字、図柄、記号等を表示する表示機構を備えたエスカレータが開示されている。
【特許文献１】実開昭６１−１７１７８８号公報
【発明の開示】
【発明が解決しようとする課題】
【０００３】
しかし、特許文献１に示されるように、踏段の表面に施されたクリート溝は、開口が狭く、底部が奥に位置しているため、塗装、印刷、ステッカーの貼着等が困難である。また、ステッカーを貼りかえる際、ステッカーをはがすことも困難である。
【０００４】
そこで本発明は、上記問題点を鑑み、文字、模様、色彩又はこれらの結合が表示された表示体をクリート溝に容易に着脱させることができるエスカレータを提供することを課題とする。
【課題を解決するための手段】
【０００５】
上記課題を解決するため、請求項１の発明では、複数個の踏段を無端状に連結させて循環走行させるエスカレータにおいて、前記踏段は、人や荷物が積載される踏板と蹴上げ部分となるライザとを備え、踏板又はライザの表面には、踏段の進行方向に沿って伸びるクリート溝が複数平行に並べられており、前記クリート溝は、底面及び対向する側面を備え、前記対向するクリート溝の側面には、底面近傍に対向する嵌合溝が設けられ、前記対向する嵌合溝に薄板状の表示体を嵌め込んで、前記表示体を嵌合溝に沿って移動させることにより、表示体をクリート溝に着脱させることができ、装着された複数の表示体が一体となって踏板又はライザに、文字、模様、色彩又はこれらの結合を表示させることができることを特徴とした。
【０００６】
これにより、表示体を嵌合溝に沿って挿入させて、表示体をクリート溝に容易に装着させることができ、装着された表示体は、嵌合溝によってクリート溝に保持される。そして、装着された複数の表示体が一体となって、踏板又はライザに、文字、模様、色彩又はこれらの結合を表示させることができる。また、表示体を嵌合溝に沿って引き抜くだけで、表示体をクリート溝から容易に取り外すことも可能である。
【０００７】
請求項２の発明では、複数個の踏段を無端状に連結させて循環走行させるエスカレータにおいて、前記踏段は、人や荷物が積載される踏板と蹴上げ部分となるライザとを備え、踏板又はライザの表面には、踏段の進行方向に沿って伸びるクリート溝が複数平行に並べられており、前記クリート溝は、底面及び対向する側面を備え、前記対向する側面の底面近傍には、進行方向に沿って複数の膨出部が設けられており、前記膨出部とクリート溝の底面との間に薄板状の表示体を嵌め込むことにより、表示体をクリート溝に着脱させることができ、装着された複数の表示体が一体となって踏板又はライザに、文字、模様、色彩又はこれらの結合を表示させることが可能であることを特徴とした。
【０００８】
これにより、表示体をクリート溝の膨出部と溝の底面との間に挿入させて、表示体をクリート溝に装着させることができる。装着された表示体は、膨出部によってクリート溝に保持され、装着された複数の表示体が一体となって踏板又はライザに、文字、模様、色彩又はこれらの結合を表示させることができる。また、表示体を引き抜くだけで、表示体をクリート溝から容易に取り外すことも可能である。
【０００９】
請求項３の発明では、複数個の踏段を無端状に連結させて循環走行させるエスカレータにおいて、前記踏段は、人や荷物が積載される踏板と蹴上げ部分となるライザとを備え、踏板又はライザの表面には、踏段の進行方向に沿って伸びるクリート溝が複数平行に並べられており、前記クリート溝には、薄板状の表示体が装着可能であり、クリート溝は、底面及び対向する側面を備え、前記対向する側面の底面近傍には、進行方向に沿って複数の嵌合穴が設けられており、前記表示体は、一定の弾力を有し、長手側端部に前記嵌合穴に対応する複数の係止片が設けられており、クリート溝の嵌合穴に、表示体の係止片が嵌め込まれることにより、表示体をクリート溝に着脱させることができ、装着された複数の表示体が一体となって踏板又はライザに、文字、模様、色彩又はこれらの結合を表示させることができることを特徴とした。
【００１０】
これにより、表示体の係止片をクリート溝の嵌合穴に嵌め込むことにより、容易に表示体をクリート溝に着脱させることができる。装着された表示体は、嵌合穴によってクリート溝に保持され、装着された複数の表示体が一体となって踏板又はライザに、文字、模様、色彩又はこれらの結合を表示させることができる。また、表示体を引きはがすだけで、表示体をクリート溝から容易に取り外すことも可能である。
【００１１】
請求項４の発明では、複数個の踏段を無端状に連結させて循環走行させるエスカレータにおいて、前記踏段は、人や荷物が積載される踏板と蹴上げ部分となるライザとを備え、踏板又はライザの表面には、踏段の進行方向に沿って伸びるクリート溝が複数平行に並べられており、前記クリート溝は、底面及び対向する側面を備え、前記底面には、係止突起があり、前記係止突起に薄板状の表示体を貫通させて係止させることにより、表示体をクリート溝に着脱させることができ、装着された複数の表示体が一体となって踏板又はライザに、文字、模様、色彩又はこれらの結合を表示させることができることを特徴とした。
【００１２】
これにより、表示体を係止突起に貫通させて係止させることにより、容易に表示体をクリート溝に着脱させることができる。装着された表示体は、係止突起によってクリート溝に保持され、装着された複数の表示体が一体となって踏板又はライザに、文字、模様、色彩又はこれらの結合を表示させることができる。また、表示体を引きはがすだけで、表示体をクリート溝から容易に取り外すことも可能である。
【発明の効果】
【００１３】
本発明のエスカレータでは、文字、模様、色彩又はこれらの結合が表示された表示体を踏段のクリート溝に容易に着脱させることができる。
【発明を実施するための最良の形態】
【００１４】
（第一実施形態）
本発明の第一実施形態であるエスカレータ１について図面を参照しながら詳細に説明する。図１（ａ）は、本発明の第一実施形態に係るエスカレータ１を示す斜視図であり、図１（ｂ）は、踏段２の部分拡大斜視図である。
【００１５】
エスカレータ１は、複数個の踏段２を備え、前記複数個の踏段２を無端状に連結させて循環走行させることにより、人や荷物を昇降させることができる装置である。
【００１６】
図１（ａ）に示すように、踏段２は、踏板５とライザ６とを備えている。踏板５は、人や荷物が積載される板状の部分であり、ライザ６は、蹴上げに相当する部分である。踏板５とライザ６とは略垂直又は鋭角に連結されている。踏板５とライザ６とで囲まれた領域を内側とし、踏板５に対して人や荷物を積載可能な状態を上下関係の基準とすると、ライザ６は、踏段２を側方から見た場合に、外側下方が円弧状となるように湾曲している。
また、図１（ｂ）に示すように、踏板５及びライザ６の表面９全体には、クリート溝７と呼ばれる溝が踏段２の進行方向に沿って一定間隔毎に並べられている。
【００１７】
図２に示すように、クリート溝７は、踏段２の進行方向に垂直な断面であるＡ−Ａ断面の形状が略矩形である。クリート溝７は、互いに対向する２つの側面８，８と、対向する側面８，８に挟まれた底面１０とを備えている。側面８は、踏板５やライザ６の表面９に対して略垂直な面であり、底面１０は、踏板５やライザ６の表面９と略平行な面である。
【００１８】
クリート溝７は、図１（ｂ）や図２に示すように、踏段２の進行方向沿いの両端部及び底面１０と対向する上方部が開放されており、それぞれ端部開口１１及び上方開口１２とが形成されている。
【００１９】
図２に示すように、本実施形態のエスカレータ１では、クリート溝７の側面８には、底面１０近傍に嵌合溝１３が設けられている。嵌合溝１３は、クリート溝７と同様に踏段２の進行方向に沿って伸びている。クリート溝７を構成する２つの側面８，８は、互いに対向しており、クリート溝７の側面８，８に設けられた嵌合溝１３，１３も互いに対向関係にある。そして、本実施形態のエスカレータ１では、互いに対向する嵌合溝１３，１３が二つ一組で後述の表示体１５を取り付けるための手段として機能している。
【００２０】
表示体１５は、一定の弾力を有する薄板状の樹脂板であり、表面には所定の文字、模様、色彩又はこれらの結合が印刷や塗装等の公知の手段により表示されている。樹脂としては、ポリプロピレンやＰＥＴ（ポリエチレンテレフタレート）、ＰＶＣ（ポリ塩化ビニル）等が用いられる。また、表示体１５は、一定の剛性を有しているため、フィルム状のシールやステッカーなどと比べて扱い易い。
【００２１】
表示体１５の形状は、細長い短冊状であり、本実施形態に係る表示体１５は、図３に示すように、長手側の端部の少なくとも一方にテーパ部１６が形成されている。表示体１５は、複数を一組として用い、各表示体１５は、それぞれ装着されるクリード溝７が予め定められている。
【００２２】
そのため、各表示体１５は、それぞれ装着されるクリード溝７に対応した形状に形成されている。本実施形態では、表示体１５の短手側の長さは、装着されるクリート溝７の対向する側面８，８間の距離よりも長く、対向する嵌合溝１３，１３の底面間の距離と略同一である。表示体１５の長手側の長さは、踏板５又はライザ６の表面に設けられたクリート溝７が踏段２の進行方向に沿って伸びる長さと略同一である。
【００２３】
図３（ａ）〜（ｃ）に示すようにして、表示体１５は、クリート溝７に装着される。まず表示体１５のテーパ部１６が、装着されるクリート溝７の端部開口１１に向けられる（図３（ａ））。そして表示体１５が、クリート溝７の端部開口１１から、クリート溝７の側面８，８に形成された嵌合溝１３，１３に差し込まれる（図３（ｂ））。表示体１５にテーパ部１６が設けられているため、表示体１５の差し込みは容易である。
【００２４】
表示体１５が嵌合溝１３，１３に沿って押し込まれると、表示体１５の短手側の両端が嵌合溝１３，１３の底面と当接する。本実施形態において、表示体１５の短手側の長さと、対向する嵌合溝１３，１３の底面間の長さとは略同一である。そのため、本実施形態の表示体１５は、僅かに湾曲されてクリート溝７の嵌合溝１３，１３に嵌め込まれることになる。その結果、嵌合溝１３の底面には表示体１５の端部から一定の圧力が働き、表示体１５の端部には一定の摩擦力が働く。
【００２５】
さらに表示体１５が押し込まれると、表示体１５は、嵌合溝１３，１３に案内されてクリート溝７を移動し、クリート溝７の所定の位置に装着される（図３（ｃ））。
【００２６】
このように、本実施形態のエスカレータ１では、踏板５又はライザ６の表面９に設けられたクリート溝７の端部開口１１から表示体１５を挿入させることにより、表示体１５をクリート溝７に容易に装着させることができる。
【００２７】
踏板５又はライザ６のそれぞれのクリート溝７に所定の表示体１５が装着されると、図１（ａ）に示すように、装着された複数の表示体１５が一体となって踏板５又はライザ６に、文字、模様、色彩又はこれらの結合による所定の表示をさせることができる。また、踏板５又はライザ６から表示体１５を取り外す場合には、クリート溝７の端部開口１１から表示体１５を引き抜くだけで、表示体１５をクリート溝７から容易に取り外すこともできる。
【００２８】
上記のように表示体１５を嵌合溝１３に沿ってクリート溝７内を移動させると、表示体１５には一定の摩擦力が働く。この摩擦力により、表示体１５がクリート溝７に対して相対移動するのを防止することができ、表示体１５がクリート溝７の端部開口１１から抜け出すのを防止することができる。
【００２９】
図４に示すように、ライザ６のクリート溝７および嵌合溝１３はエスカレータ１の進行方向に沿って湾曲している。そのため、表示体１５がライザ６のクリート溝７に装着されると、表示体１５も嵌合溝１３に沿って湾曲される。このとき表示体１５は一定の弾力を有するので元の形状に戻ろうとして、クリート溝７に設けられた嵌合溝１３と密着することになる。そのため、ライザ６のクリート溝７に装着された表示体１５には、図４に矢印で示すように一定の力が働く。
【００３０】
その結果、ライザ６のクリート溝７に装着された表示体１５には、踏板５のクリート溝７に装着された表示体１５以上の摩擦力が作用するので、ライザ６のクリート溝７に装着された表示体１５を、より一層クリート溝７から抜けにくいものとすることができる。
【００３１】
（第二実施形態）
次に、第二実施形態について説明する。なお、本実施形態では、第一実施形態と同一部分については同一符号を付して詳しい説明を省略し、異なる部分についてのみ説明する。
図５は、第二実施形態に係る踏段２の一部を拡大した斜視図であり、図６は、図５のＡ−Ａ断面図である。本実施形態の踏段２も第一実施形態のエスカレータ１の踏段２と同様に、踏板５又はライザ６の表面９全体にクリート溝７が設けられている。
【００３２】
図５および図６に示すように、本実施形態のクリート溝７の側面８には、底面１０近傍に複数の膨出部２２が設けられている。膨出部２２は、踏段２の進行方向に沿って一定間隔毎に設けられており、クリート溝７の底面１０から略一定の距離のところに設けられている。
【００３３】
本実施形態のエスカレータ１に装着される表示体２５は、上記実施形態に係る表示体１５と略同一の形状であるが、短手側の長さが、クリート溝７の対向する側面８，８間の距離と略同一に形成されている。
【００３４】
本実施形態のエスカレータ１では、上記実施形態同様、表示体２５をクリート溝７の端部開口１１から差し込むことにより、表示体２５をクリート溝７に装着させることができる。表示体２５は、クリート溝７の底面１０と膨出部２２との間の領域に差し込まれる。
【００３５】
ここで、表示体２５の短手側の長さは、クリート溝７の対向する側面８，８間の距離と略同一であるため、表示体２５は僅かに湾曲されてクリート溝７の底面１０と膨出部２２との間の領域に嵌め込まれることになる。湾曲した表示体２５はその弾力によって、クリート溝７の側面８，８に一定の圧力を加えるため、表示体２５をクリート溝７に沿って移動させる際に、表示体２５には一定の摩擦力が加わる。また、表示体２５の表面側の端部が膨出部２２に当接するため、表示体２５の厚さ方向への移動は制限される。
【００３６】
また、図７（ａ）〜（ｃ）に示すように、本実施形態では、表示体２５をクリート溝７の上方開口１２から装着させることができる。手順としては、まず表示体２５を対応するクリート溝７の底面１０と対向させて位置合わせする（図７（ａ））。
【００３７】
クリート溝７の上方開口１２から表示体２５をクリート溝７の底面１０に近づけると、表示体２５の裏面がクリート溝７の膨出部２２に当接する。続けて表示体２５をクリート溝７の底面１０側に押し込むと、弾力を有する表示体２５は湾曲しながら、クリート溝７の底面１０側に押し込まれる（図７（ｂ））。
【００３８】
そして、表示体２５がクリート溝７の底面１０と膨出部２２との間の領域まで達すると、表示体２５はその弾力により湾曲した状態から元の形状に戻り、表示体２５がクリート溝７に装着される（図７（ｃ））。
【００３９】
このとき、表示体２５の表面が膨出部２２と当接するため、表示体２５の厚さ方向への移動は制限される。さらに、上記のように表示体２５をクリート溝７に沿って移動させようとすると、表示体２５には一定の摩擦力が働く。この摩擦力により、表示体２５がクリート溝７に対して相対移動するのを防止し、表示体２５がクリート溝７の端部開口１１から抜け出すのを防止する。
【００４０】
また、本実施形態において、膨出部２２は踏段２の進行方向に沿って一定間隔毎に設けられたが、本発明はこのような構成に限定されるわけではない。例えば、膨出部２２を踏段２の進行方向に沿って伸びる突条とすることも可能である。
【００４１】
（第三実施形態）
次に、第三実施形態について図８，９を参照して説明する。なお、本実施形態では、上記実施形態と同一部分については同一符号を付して詳しい説明を省略し、異なる部分についてのみ説明する。本実施形態においても、第一実施形態のエスカレータ１の踏段２と同様に、踏板５又はライザ６の表面９全体にクリート溝７が設けられている。
【００４２】
図８に示すように、本実施形態のクリート溝７は、対向する側面８，８の底面１０近傍に複数の嵌合穴３２が設けられている。嵌合穴３２は、踏段２の進行方向に沿って一定間隔毎に設けられている。
【００４３】
本実施形態のクリート溝７に装着される表示体３５は、上記実施形態に係る表示体１５，２５と異なり、嵌合穴３２に対応する複数の係止片３６が長手側の両端縁に形成されている。
【００４４】
図９（ａ）〜（ｃ）に示すようにして、表示体３５はクリート溝７に装着される。まず表示体３５を対応するクリート溝７の底面１０と対向させて位置合わせさせる（図９（ａ））。
【００４５】
クリート溝７の上方開口１２から表示体３５をクリート溝７の底面１０に近づけると、表示体３５の係止片３６が、踏板５やライザ６の表面９に当接する。そのまま表示体３５をクリート溝７の底面１０側に押し込むと、表示体３５の係止片３６部分を湾曲させて、表示体３５はクリート溝７の底面１０に近づく（図９（ｂ））。
【００４６】
そして、係止片３６の端部が嵌合穴３２に達すると、湾曲した係止片３６部分が元の形状に戻り、係止片３６がクリート溝７の嵌合穴３２に嵌まり込む（図９（ｃ））。これにより、表示体３５の厚み方向及び踏段２の進行方向への移動が制限され、表示体３５がクリート溝７に装着される。
【００４７】
（第四実施形態）
次に、第四実施形態について図１０，１１を参照して説明する。なお、本実施形態では、上記実施形態と同一部分については同一符号を付して詳しい説明を省略し、異なる部分についてのみ説明する。本実施形態においても、第一実施形態のエスカレータ１の踏段２と同様に、踏板５又はライザ６の表面９全体にクリート溝７が設けられている。
【００４８】
図１０に示すように、本実施形態のクリート溝７は、底面１０に複数の係止突起４２を備えている。係止突起４２は、係止部４３と支持部４４とに大別され、球状の係止部４３がクリート溝７の底面１０から一定の距離となるように、支持部４４によって支持されている。係止突起４２は、クリート溝７の底面１０の短手方向の略中央に位置し、踏段２の進行方向に沿って一定間隔毎に設けられている。
【００４９】
本実施形態のクリート溝７に取り付けられる表示体４５は、上記実施形態に係る表示体１５，２５と異なり、係止突起４２に対応する位置に孔や切り目等の係合部４６が設けられている。また、表示体４５の大きさは、装着されるクリート溝７の底面１０と略同一又はやや小さめの大きさに形成されている。
【００５０】
図１１（ａ）〜（ｃ）に示すようにして、表示体４５はクリート溝７に装着される。まず表示体４５を対応するクリート溝７の底面１０と対向させて位置合わせさせる（図１１（ａ））。
【００５１】
そしてクリート溝７の上方開口１２から、表示体４５をクリート溝７の底面１０に近づけ、クリート溝７の底面１０に設けた係止突起４２と表示体４５の係合部４６とを位置合わせさせる。そのまま表示体４５を押し込むと、表示体４５の係合部４６が係止突起４２の係止部４３によって押し広げられながら、表示体４５はクリート溝７の底面１０側に近づく（図１１（ｂ））。
【００５２】
係止突起４２の係止部４３が表示体４５の係合部４６を貫通して、表示体４５がクリート溝７の底面１０と係止突起４２の係止部４３との間の領域にまで達すると、押し広げられた表示体４５の係合部４６は元の形状に戻る（図１１（ｃ））。
【００５３】
このとき、表示体４５の表面が係止突起４２の係止部４３と当接することにより、表示体４５が厚さ方向への移動するのが制限され、係止突起４２の支持部４４が表示体４５の係合部４６と当接することにより、表示体４５が踏段２の進行方向へ移動するが制限される。その結果、表示体４５がクリート溝７に装着される。
【００５４】
上記各実施形態では、公知の手段により表示体の表面に所定の文字、模様、色彩又はこれらの結合が表示されているが、本発明はこの様な構成に限られるわけではない。例えば第一〜第三実施形態では、表示体１５，２５，３５として透明のアクリル板等を用い、クリート溝７に装着された表示体１５，２５，３５とクリート溝７の底面１０との間に紙やフィルム等の印刷物を挟み込むことにより所定の文字、模様、色彩又はこれらの結合を表示させる構成としてもよい。
【００５５】
第一実施形態および第二実施形態において、表示体１５，２５とクリート溝７との間には十分な摩擦力が働くため、表示体１５，２５がクリート溝７から抜け出すおそれは少ない。しかし表示体１５，２５がクリート溝７から抜け出すのを完全に防止すべく、クリート溝７の端部開口１１において、嵌合溝１３や、クリート溝７の底面１０と膨出部２２との間の領域を塞ぐ蓋等の脱出防止手段を設けてもよい。
【図面の簡単な説明】
【００５６】
【図１】（ａ）は、第一実施形態に係るエスカレータを示す斜視図であり、（ｂ）は、踏段の部分拡大斜視図である。
【図２】図１（ｂ）のＡ−Ａ断面図である。
【図３】（ａ）〜（ｃ）は、表示体がクリート溝に装着される様子を示す平面図である。
【図４】図１（ｂ）のＢ−Ｂ断面図である。
【図５】第二実施形態の踏段の部分拡大斜視図である。
【図６】図５のＡ−Ａ断面図である。
【図７】（ａ）〜（ｃ）は、第二実施形態において表示体がクリート溝に装着される様子を示す断面図である。
【図８】第三実施形態のクリート溝と表示体とを示す斜視図である。
【図９】（ａ）〜（ｃ）は、第三実施形態において表示体がクリート溝に装着される様子を示す断面図である。
【図１０】第四実施形態のクリート溝と表示体とを示す一部破断斜視図である。
【図１１】（ａ）〜（ｃ）は、第四実施形態において表示体がクリート溝に装着される様子を示す断面図である。
【符号の説明】
【００５７】
１    エスカレータ
２    踏段
５    踏板
６    ライザ
７    クリート溝
８    側面
１０  底面
１３  嵌合溝
１５，２５，３５，４５  表示体
２２  膨出部
３２  嵌合穴
３６  係止片
４２  係止突起
【図１】
2008179441.tif 000003
【図２】
2008179441.tif 000004
【図３】
2008179441.tif 000005
【図４】
2008179441.tif 000006
【図５】
2008179441.tif 000007
【図６】
2008179441.tif 000008
【図７】
2008179441.tif 000009
【図８】
2008179441.tif 000010
【図９】
2008179441.tif 000011
【図１０】
2008179441.tif 000012
【図１１】
2008179441.tif 000013